(57)【特許請求の範囲】
【請求項１】
再生対象として指定された再生画像データを取得する再生画像取得手段と、
複数の表示モードの中から任意の表示モードを設定する表示モード設定手段と、
前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個のある特定の情報を示す情報画像データを割り込み表示させる場合には、前記表示モード設定手段により設定された表示モードに応じて、前記第１のモニタと前記第２のモニタとのどちらか一方または両方のモニタに対して前記情報画像データを表示させる表示制御手段と、
を備え、
前記複数の表示モードには、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、
前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、を含むことを特徴とする画像再生装置。
【請求項２】
画像データを記録するための記録手段を備え、
前記画像取得手段は、
前記記録手段に記録されている画像データを取得することを特徴とする請求項１に記載の画像再生装置
【請求項３】
前記情報画像データは、
前記記録手段に記録されている画像データの名称又は／及びサムネイル画像を一覧表示させた画像データであることを特徴とする請求項２に記載の画像再生装置。
【請求項４】
前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる表示モードを含むことを特徴とする請求項１乃至３の何れかに記載の画像再生装置。
【請求項５】
前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる表示モードを含むことを特徴とする請求項１乃至４の何れかに記載の画像再生装置。
【請求項６】
前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる表示モードを含むことを特徴とする請求項１乃至５の何れかに記載の画像再生装置。
【請求項７】
前記表示制御手段による前記再生画像データの再生表示中において、該再生画像データでない情報データから前記情報画像データを生成する情報画像生成手段を備え、
前記表示制御手段は、
前記表示モード設定手段により設定された表示モードに応じて、第１のモニタ及び第２のモニタの一方または両方のモニタに対して前記画像取得手段により取得された再生画像データを再生表示させるとともに、該再生画像データの再生表示中において、前記情報画像生成手段により生成された情報画像データを割り込み表示させる場合に、前記表示モード設定手段により設定された表示モードに応じて、前記第１のモニタと前記第２のモニタの一方または両方のモニタに対して前記情報画像データを表示させることを特徴とする請求項１乃至６の何れかに記載の画像再生装置。
【請求項８】
前記情報画像データは、
メニュー画像データであることを特徴とする請求項１乃至７の何れかに記載の画像再生装置。
【請求項９】
前記第１のモニタは、
前記画像再生装置に内蔵されている内蔵モニタであり、
前記第２のモニタは、
前記画像再生装置と接続可能な外部モニタであることを特徴とする請求項１乃至８の何れかに記載の画像再生装置。
【請求項１０】
前記表示設定モードは、
前記外部モニタが、前記画像再生装置と接続されていない場合は、所定の表示モードに設定する、又は、所定の表示モードの設定を禁止することを特徴とする請求項９記載の画像再生装置。
【請求項１１】
前記表示制御手段によって一覧表示された画像データに基づいて、前記記録手段に記録されている画像データの中からユーザが任意の画像データを選択するための選択手段を備え、
前記画像取得手段は、
前記選択手段により選択された画像データを取得し、
前記表示制御手段は、
現在再生表示されている画像データの次に、前記取得手段により取得された画像データを再生表示させることを特徴とする請求項２記載の画像再生装置。
【請求項１２】
ユーザが再生させる画像データを指定するために再生画像指定手段を備え、
前記取得手段は、
前記再生画像指定手段により再生させる画像データが指定されると、該指定された画像データを取得し、
前記表示制御手段は、
前記再生画像指定手段により再生させる画像データが指定されると、前記取得手段により取得された画像データの再生表示を開始することを特徴とする請求項１乃至１１の何れかに記載の画像再生装置。
【請求項１３】
ユーザが情報の表示を指示するための指示手段を備え、
前記表示制御手段は、
前記指示手段により情報の表示が指示された場合に、前記情報画像データを割り込み表示を開始させることを特徴とする請求項１乃至１２の何れかに記載の画像再生装置。
【請求項１４】
画像データを記録するための記録手段と、
前記記録手段に記録されている画像データの中から再生対象として指定された再生画像データを取得する再生画像取得手段と、
複数の表示モードの中から任意の表示モードを設定する表示モード設定手段と、
前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個の前記記録手段に記録されている画像データの名称又は／及びサムネイル画像を一覧表示させたメニュー画像データを割り込み表示させる場合には、前記表示モード設定手段により設定された表示モードに応じて、前記第１のモニタと前記第２のモニタとのどちらか一方または両方のモニタに対して前記メニュー画像データを表示させる表示制御手段と、
前記表示制御手段による前記再生画像データの再生表示中において、該再生画像データでない情報データから前記メニュー画像データを生成する情報画像生成手段と、
を備え、
前記複数の表示モードには、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる第３の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる第４の表示モードと、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる第５の表示モードと、を含むことを特徴とする画像再生装置。
【請求項１５】
コンピュータを、
再生対象として指定された再生画像データを取得する再生画像取得手段と、
複数の表示モードの中から任意の表示モードを設定する表示モード設定手段と、
前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個のある特定の情報を示す情報画像データを割り込み表示させる場合には、前記表示モード設定手段により設定された表示モードに応じて、前記第１のモニタと前記第２のモニタとのどちらか一方または両方のモニタに対して前記情報画像データを表示させる表示制御手段と、
として機能させるプログラムであって、
前記複数の表示モードには、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、
前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、を含むことを特徴とするプログラム。
【請求項１６】
コンピュータを、
画像データを記録するための記録手段と、
前記記録手段に記録されている画像データの中から再生対象として指定された再生画像データを取得する再生画像取得手段と、
複数の表示モードの中から任意の表示モードを設定する表示モード設定手段と、
前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個の前記記録手段に記録されている画像データの名称又は／及びサムネイル画像を一覧表示させたメニュー画像データを割り込み表示させる場合には、前記表示モード設定手段により設定された表示モードに応じて、前記第１のモニタと前記第２のモニタとのどちらか一方または両方のモニタに対して前記メニュー画像データを表示させる表示制御手段と、
前記表示制御手段による前記再生画像データの再生表示中において、該再生画像データでない情報データから前記メニュー画像データを生成する情報画像生成手段と
して機能させるプログラムであって、
前記複数の表示モードには、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる第３の表示モードと、
前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる第４の表示モードと、
前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる第５の表示モードと、を含むことを特徴とするプログラム。
【発明の詳細な説明】
【技術分野】
【０００１】
本発明は、画像再生装置及びそのプログラムに係り、詳しくは、画像データの再生を行なう画像再生装置及びそのプログラムに関する。
【背景技術】
【０００２】
近年、画像再生装置、例えば、デジタルカメラ等において、デジタルカメラとテレビとの接続により、デジタルカメラの表示部の表示が停止された場合であっても、所定の操作によってテレビに表示されている画像をデジタルカメラの表示部にも表示させるという技術がある（特許文献１）
【０００３】
【特許文献１】公開特許公報  特開２０００−１５２１４７
【発明の開示】
【発明が解決しようとする課題】
【０００４】
しかしながら、上記技術によれば、状況に応じて内蔵モニタ（デジタルカメラの表示部）と外部モニタ（テレビ等）の表示内容を制御するようなことはしておらず、種々の問題が生じていた。
例えば、画像を鑑賞中にデジタルカメラでメニュー表示を行うと、外部モニタにも鑑賞している画像の上にメニュー表示が行われてしまい、鑑賞している者に対して不快感を与えていた。
また、ユーザが種々の設定など不慣れな場合もあり、画質や色合など微妙な違いを見分けられない場合は他の人にも見てもらった方がよく、内蔵モニタと外部モニタにメニュー表示を行ったほうがよいという場合もあるし、現在の表示状況に応じて内蔵モニタと外部モニタの表示内容を同一にしたり変えたほうがよいという場合もある。
【０００５】
そこで本発明は、かかる従来の問題点に鑑みてなされたものであり、状況に応じて複数のモニタの表示画像を変えることができる画像再生装置及びそのプログラムを提供することを目的とする。
【課題を解決するための手段】
【０００６】
上記目的達成のため、請求項１記載の発明による画像再生装置は、再生対象として指定された再生画像データを取得する再生画像取得手段と、複数の表示モードの中から任意の表示モードを設定する表示モード設定手段と、前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個のある特定の情報を示す情報画像データを割り込み表示させる場合には、前記表示モード設定手段により設定された表示モードに応じて、前記第１のモニタと前記第２のモニタとのどちらか一方または両方のモニタに対して前記情報画像データを表示させる表示制御手段と、を備え、前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、を含むことを特徴とする。
【０００７】
また、例えば、請求項２に記載されているように、画像データを記録するための記録手段を備え、前記画像取得手段は、前記記録手段に記録されている画像データを取得するようにしてもよい。
【０００８】
また、例えば、請求項３に記載されているように、前記情報画像データは、前記記録手段に記録されている画像データの名称又は／及びサムネイル画像を一覧表示させた画像データとしてもよい。
【０００９】
また、例えば、請求項４に記載されているように、前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる表示モードを含むようにしてもよい。
【００１０】
また、例えば、請求項５に記載されているように、前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる表示モードを含むようにしてもよい。
【００１１】
また、例えば、請求項６に記載されているように、前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる表示モードを含むようにしてもよい。
【００１２】
また、例えば、請求項７に記載されているように、前記表示制御手段による前記再生画像データの再生表示中において、該再生画像データでない情報データから前記情報画像データを生成する情報画像生成手段を備え、
前記表示制御手段は、
前記表示モード設定手段により設定された表示モードに応じて、第１のモニタ及び第２のモニタの一方または両方のモニタに対して前記画像取得手段により取得された再生画像データを再生表示させるとともに、該再生画像データの再生表示中において、前記情報画像生成手段により生成された情報画像データを割り込み表示させる場合に、前記表示モード設定手段により設定された表示モードに応じて、前記第１のモニタと前記第２のモニタの一方または両方のモニタに対して前記情報画像データを表示させるようにしてもよい。
【００１３】
また、例えば、請求項８に記載されているように、前記情報画像データは、
メニュー画像データであるようにしてもよい。
【００１４】
また、例えば、請求項９に記載されているように、前記第１のモニタは、前記画像再生装置に内蔵されている内蔵モニタであり、前記第２のモニタは、前記画像再生装置と接続可能な外部モニタとしてもよい。
【００１５】
また、例えば、請求項１０に記載されているように、前記表示設定モードは、前記外部モニタが、前記画像再生装置と接続されていない場合は、所定の表示モードに設定する、又は、所定の表示モードの設定を禁止するようにしてもよい。
【００１６】
また、例えば、請求項１１に記載されているように、前記表示制御手段によって一覧表示された画像データに基づいて、前記記録手段に記録されている画像データの中からユーザが任意の画像データを選択するための選択手段を備え、
前記画像取得手段は、
前記選択手段により選択された画像データを取得し、
前記表示制御手段は、
現在再生表示されている画像データの次に、前記取得手段により取得された画像データを再生表示させるようにしてもよい。
【００１７】
また、例えば、請求項１２に記載されているように、ユーザが再生させる画像データを指定するために再生画像指定手段を備え、
前記取得手段は、
前記再生画像指定手段により再生させる画像データが指定されると、該指定された画像データを取得し、
前記表示制御手段は、
前記再生画像指定手段により再生させる画像データが指定されると、前記取得手段により取得された画像データの再生表示を開始するようにしてもよい。
【００１８】
また、例えば、請求項１３に記載されているように、ユーザが情報の表示を指示するための指示手段を備え、
前記表示制御手段は、
前記指示手段により情報の表示が指示された場合に、前記情報画像データを割り込み表示を開始させるようにしてもよい。
【００１９】
また、請求項１４記載の発明による画像再生装置は、画像データを記録するための記録手段と、前記記録手段に記録されている画像データの中から再生対象として指定された再生画像データを取得する再生画像取得手段と、複数の表示モードの中から任意の表示モードを設定する表示モード設定手段と、前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個の前記記録手段に記録されている画像データの名称又は／及びサムネイル画像を一覧表示させたメニュー画像データを割り込み表示させる場合には、前記表示モード設定手段により設定された表示モードに応じて、前記第１のモニタと前記第２のモニタとのどちらか一方または両方のモニタに対して前記メニュー画像データを表示させる表示制御手段と、前記表示制御手段による前記再生画像データの再生表示中において、該再生画像データでない情報データから前記メニュー画像データを生成する情報画像生成手段と、を備え、前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる第３の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる第４の表示モードと、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる第５の表示モードと、を含むことを特徴とする。
【００２０】
また、請求項１５記載の発明によるプログラムは、コンピュータを、再生対象として指定された再生画像データを取得する再生画像取得手段と、複数の表示モードの中から任意の表示モードを設定する表示モード設定手段と、前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個のある特定の情報を示す情報画像データを割り込み表示させる場合には、前記表示モード設定手段により設定された表示モードに応じて、前記第１のモニタと前記第２のモニタとのどちらか一方または両方のモニタに対して前記情報画像データを表示させる表示制御手段と、として機能させるプログラムであって、前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、前記複数の表示モードには、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、を含むことを特徴とする。
【００２１】
また、請求項１６記載の発明によるプログラムは、コンピュータを、画像データを記録するための記録手段と、前記記録手段に記録されている画像データの中から再生対象として指定された再生画像データを取得する再生画像取得手段と、複数の表示モードの中から任意の表示モードを設定する表示モード設定手段と、前記表示モード設定手段により設定された表示モードに応じて、第１のモニタと第２のモニタとのどちらか一方または両方のモニタに対して前記画像取得手段により取得された再生画像データを再生表示させるとともに、該再生画像データの再生表示中において、該再生画像データとは別個の前記記録手段に記録されている画像データの名称又は／及びサムネイル画像を一覧表示させたメニュー画像データを割り込み表示させる場合には、前記表示モード設定手段により設定された表示モードに応じて、前記第１のモニタと前記第２のモニタとのどちらか一方または両方のモニタに対して前記メニュー画像データを表示させる表示制御手段と、前記表示制御手段による前記再生画像データの再生表示中において、該再生画像データでない情報データから前記メニュー画像データを生成する情報画像生成手段として機能させるプログラムであって、前記複数の表示モードには、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタ及び前記第２のモニタに対しての該再生画像データの再生表示を継続させるとともに、前記第１のモニタと前記第２のモニタとのどちらか一方または両方のモニタに前記情報画像データをオーバーレイ表示させる第１の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該再生画像データが再生表示されていないもう一方のモニタに前記情報画像データを表示させる第２の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を継続させるとともに、該モニタに前記情報画像データをオーバーレイ表示させる第３の表示モードと、前記情報画像データを割り込み表示させていない状態では、前記第１のモニタと前記第２のモニタとのどちらか一方のモニタに前記再生画像データを再生表示させ、前記情報画像データを割り込み表示させている状態では、該再生画像データを再生表示させているモニタに対しての再生表示を中断させるとともに、該再生表示が中断されたモニタに前記情報画像データを表示させる第４の表示モードと、前記情報画像データを割り込み表示させていない状態では、前記第１のモニタと前記第２のモニタとの両方のモニタに前記再生画像データを再生表示させ、前記情報画像データを割り込み表示させている状態では、前記第１のモニタと前記第２のモニタとの何れか一方または両方のモニタに対しての前記再生画像データの再生表示を中断させ、該再生表示が中断されたモニタに前記情報画像データを表示させる第５の表示モードと、を含むことを特徴とする。
【発明の効果】
【００２２】
本発明によれば、設定された表示モードに応じて、内蔵モニタ１４、外部モニタ３１の表示内容を変更させるので、状況に応じた表示態様で表示させることができる。
【発明を実施するための最良の形態】
【００２３】
以下、本実施の形態について、本発明の画像再生装置をデジタルカメラに適用した一例として図面を参照して詳細に説明する。
[実施の形態]
【００２４】
Ａ．デジタルカメラの構成
図１は、本発明の画像再生装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ（timing generator）６、ユニット回路７、画像生成部８、ＣＰＵ９、キー入力部１０、メモリ１１、ＤＲＡＭ１２、フラッシュメモリ１３、内蔵モニタ１４、Ａ／Ｖ接続部１５、バス１６を備えている。
【００２５】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ９からの制御信号にしたがってフォーカスモータ、ズームモータをそれぞれ光軸方向に駆動させるフォーカスモータドライバ、ズームモータドライバから構成されている。
【００２６】
ＣＣＤ４（撮像素子）は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ９により制御される。なお、ＣＣＤ４はベイヤー配列の色フィルターを有しており、電子シャッタとしての機能も有する。この電子シャッタのシャッタ速度は、ドライバ５、ＴＧ６を介してＣＰＵ９によって制御される。
【００２７】
ユニット回路７には、ＴＧ６が接続されており、ＣＣＤ４から出力される撮像信号を相関二重サンプリングして保持するＣＤＳ（Correlated
Double Sampling）回路、そのサンプリング後の撮像信号の自動利得調整を行なうＡＧＣ（Automatic
Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２８】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００２９】
ＣＰＵ９は、撮像された画像データの表示、記録を行う機能を有するとともに、デジタルカメラ１の各部を制御するワンチップマイコンである。
図２は、本発明の特徴となるＣＰＵ９の機能ブロック図を示すものである。
図２を見るとわかるように、ＣＰＵ９は、表示モード設定部２１、情報画像生成部２２、表示制御部２３としての機能を有する。
【００３０】
表示モード設定部２１は、表示モードを記録する表示モード記録領域を有し、複数の表示モードの中から、ユーザによって任意に指定された表示モードを設定して（記録して）、該設定した表示モードを表示制御部２３に出力する。ここでは、表示モードは１から５まであり、各表示モードにおける表示態様を設定した表示モードテーブルはメモリ１１に記録されている。
また、表示モード設定部２１は、表示モード記録領域に表示モードが既に記録されているときに、新たに表示モードを設定した場合は、該新たに設定した表示モードを表示モード記録領域に上書きして記録させる。これにより、最新に設定された表示モードのみが表示モード記録領域に記録されていることになる。
【００３１】
情報画像生成部２２は、メモリ１１に記録されているメニュー情報データ、表示モード情報から画像データ（メニュー画像データ、表示モード選択画像データ）や、フラッシュメモリ１３に記録されている鑑賞用の画像データの一覧画像を生成し、該生成したメニュー画像データ、表示モード選択画像データ、一覧画像データを表示制御部２３に出力する。
【００３２】
ここで、鑑賞用の画像データとは、ＣＣＤによって撮像された静止画像データ、動画像データの他、鑑賞用として作成されたアニメ、合成画像、ＣＧ（computer
graphics）により作成された画像データ等も含み、要は、鑑賞用として観られる画像データのことをいう。つまり、ユーザに対してある特定の情報を知らせるための画像データ（メニュー画像データなどの画像データ）は鑑賞用の画像データの概念から排除される。なお、ここでは、フラッシュメモリ１３に記録されている画像データを一律に観賞用の画像データということにする。
【００３３】
表示制御部２３は、第１の画像再生表示処理部２３１、第２の画像再生表示処理部２３２、及び表示態様を記憶する表示態様記憶領域（図示略）を備えている。表示制御部２３は、表示設定部２１から送られてきた表示モードに対応する各表示状況の表示態様をメモリ１１の表示モードテーブルから取得して記憶し、第１の画像再生表示処理部２３１、第２の画像再生表示処理部２３２は、該取得した（記憶した）表示態様及び現在の表示状況に応じてそれぞれ内蔵モニタ１４、外部モニタの表示を制御する。この表示モードテーブルについては後で説明する。また、表示制御部２３は、表示態様記憶領域に表示態様が既に記憶されているときに、表示モードに対応する各表示状況の表示態様が新たに取得された場合は、該新たに取得した表示態様を上書きして記憶させる。これにより、最新に設定された表示モードに対応する各表示状況の表示態様のみが表示態様記憶領域に記憶されていることになる。
【００３４】
キー入力部１０は、電源Ｏｎ／Ｏｆｆキー、モード切替キー、シャッタボタン、メニューキー、表示モードキー、画像一覧キー、十字キー、ＳＥＴキー等の複数の操作キーを含み、ユーザのキー操作に応じた操作信号をＣＰＵ９に出力する。
【００３５】
メモリ１１には、ＣＰＵ９が各部を制御するのに必要な制御プログラム、及び必要なデータ（メニュー情報、表示モード情報）が記録されており、ＣＰＵ９は、該プログラムに従い動作する。
特にメモリ１１には、各表示モードにおける表示態様を設定した表示モードテーブルが記録されており、図３は、表示モードテーブルの様子を示す図である。
【００３６】
図３を見るとわかるように、表示モードは、表示モード１〜表示モード５までの５つの表示モードを備えている。そして、表示モード毎に、表示状況に応じた表示態様が記録されている。
【００３７】
例えば、表示モード１の場合に、表示状況が画像鑑賞の場合は（鑑賞用の画像データを再生する場合は）、内蔵モニタ１４に鑑賞画像を表示させ、また、表示状況が画像鑑賞中にある特定の情報を表示させる（割り込み表示させる）場合は、継続して表示させている鑑賞用の画像データの上に該情報を示した画像（情報画像）を重ねて表示させるオーバーレイ表示を行う。また、表示状況が画像鑑賞中でないときにある特定の情報を表示させる場合は、メニュー画像を内蔵モニタ１４に単体表示させる。なお、表示モード１の場合は、外部モニタの表示をｏｆｆにする。
ここで、ある特定の情報を示す画像とは、メニュー画像、表示モード選択画像、フラッシュメモリ１３に記録されている鑑賞用の画像データの一覧画像など、のことをいうが、ユーザに対して観賞中の画像データとは別の情報を知らせるための画像であれば他の画像であってもよい。
【００３８】
また、表示モード２の場合は、内蔵モニタ１４と外部モニタの表示態様を逆にして、つまり、内蔵モニタ１４の表示をｏｆｆにして、表示状況に応じて外部モニタに鑑賞用の画像データを表示させたり、情報画像をオーバーレイ表示させたり、情報画像の単体表示を行ったりする。
【００３９】
また、表示モード３の場合は、表示モード１における内蔵モニタ１４の表示態様と同じように、内蔵モニタ１４に表示させると共に外部モニタにも同じ内容を表示させる。つまり、表示モード３においては、内蔵モニタ１４と外部モニタとに表示される画面は同じということになる。
【００４０】
また、表示モード４の場合は、簡単に説明すると、情報画像を内蔵モニタ１４に表示させ、鑑賞用の画像データを外部モニタに表示させるというものである。つまり、情報画像と、鑑賞用の画像との表示先を分けるというものである。
【００４１】
また、表示モード５の場合は、簡単に説明すると、内蔵モニタ１４には、鑑賞用の画像データを表示させると共に、画像鑑賞中にある特定の情報の表示を行う場合は該情報画像のオーバーレイ表示を行い、画像鑑賞中でない場合にある特定の情報の表示を行う場合は情報画像を単体表示させるというものである。また、外部モニタには、鑑賞用の画像データを表示させ（画像鑑賞）、画像鑑賞中はある特定の情報の表示を行う場合であっても該情報画像の表示を一切行わず、画像鑑賞中でない場合に限り、情報画像を単体表示させるというものである。
【００４２】
ＤＲＡＭ１２は、ＣＣＤ４によって撮像された後、ＣＰＵ９に送られてきた画像データを一時記憶するバッファメモリとして使用されるとともに、ＣＰＵ９のワーキングメモリとして使用される。
フラッシュメモリ１３は、ＣＣＤ４によって撮像された画像データ等を保存する記録媒体である。
【００４３】
内蔵モニタ１４は、カラーＬＣＤとその駆動回路を含み、画像再生時は、第１の画像再生処理部２３１の制御にしたがって、フラッシュメモリ１３に記録されている鑑賞用の画像データや、情報画像データを表示させる。
【００４４】
Ａ／Ｖ接続部１６は、デジタルカメラ１とテレビ等の外部モニタを接続する外部出力ケーブルとしてのＡＶケーブルを接続するためのものである。
第２の画像再生表示処理部２３２は、外部モニタに表示させる画像データをＡＶケーブルを介して外部モニタに出力する。つまり、外部モニタの表示を制御する。
【００４５】
Ｂ．デジタルカメラ１の動作
実施の形態におけるデジタルカメラ１の動作を図４乃至図６のフローチャートに従って説明する。なお、デジタルカメラ１はＡＶケーブルを介して外部モニタと接続されているものとする。
【００４６】
ユーザの電源Ｏｎ／Ｏｆｆキーの操作によりデジタルカメラ１の電源がオンされると、ステップＳ１で、ＣＰＵ９の表示モード設定部２２は、現在設定している表示モードを表示制御部２３に出力し、表示制御部２３は、該送られてきた現在設定されている表示モードに対応する各表示状況における表示態様をメモリ１１の表示モードテーブルから取得して表示態様記憶領域に記憶する。
次いで、ステップＳ２で、ＣＰＵ９は、現在設定されているモードが表示設定モードであるか否かを判断する。ユーザはモード切替キーを操作することにより、現在設定されているモードを切り替えることができる。
【００４７】
ステップＳ２で、現在のモードが表示設定モードであると判断すると、ステップＳ３に進み、ＣＰＵ９の情報画像生成部２２は、メモリ１１に記録されている表示モード情報（情報データ）から表示モード選択画像を生成する。
次いで、ステップＳ４で、ＣＰＵ９の表示制御部２３の第１の画像再生表示処理部２３１、第２の画像再生表示処理部２３２は、ステップＳ１で取得した各表示状況の表示態様のうち、現在の表示状況に対応する表示態様にしたがって、該生成された表示モード選択画像を表示させる。
【００４８】
現在の表示状況は、画像鑑賞中でない情報表示なので、図３を見ると分かるように、例えば、表示モード１、表示モード４が設定されている場合は、内蔵モニタ１４に表示モード選択画像を表示させ、外部モニタには表示させない。また、表示モード２が設定されている場合は、外部モニタに表示モード選択画像を表示させ、内蔵モニタ１４には表示させない。また、表示モード３、表示モード５が設定されている場合は、内蔵モニタ１４、外部モニタ共に表示モード選択画像を表示させる。
【００４９】
図７は、表示モード２が設定され、鑑賞用の画像データが再生表示されていない（画像鑑賞中でない）ときに表示される表示モード選択画像の様子を示すものである。
図７は、デジタルカメラ１と外部モニタ３１がＡＶケーブル１７を介して接続されており、デジタルカメラ１の内蔵モニタ１４はデジタルカメラ１の背面に備えられている。また、デジタルカメラ１の上面にはシャッタボタン１０１、背面には、メニューキー１０２、表示モードキー１０３、画像一覧キー１０４、及び、十字キー及びＳＥＴキー部１０５も備えられている。他のキー（電源Ｏｎ／Ｏｆｆキー、モード切替キー等）やＡ／Ｖ接続部１６等については図示を省略している。
【００５０】
図７を見るとわかるように、内蔵モニタ１４には何も表示されておらず、外部モニタ３１に表示モード選択画像が表示されている。
このとき、現在設定されている表示モードを他の表示モードと差別表示（ここでは、薄黒く表示）させる。
【００５１】
次いで、ステップＳ５で、ＣＰＵ９は、設定変更操作が行なわれたか否かを判断する。この設定変更操作は、ユーザが十字キーを操作することにより、設定したい表示モードにカーソルを合わせ、ＳＥＴキーの操作を行なうことにより行なわれる。
【００５２】
図７では、カーソル（黒い枠）が表示モード３に合わさっている。このときに、ユーザが十字キーの操作を行なうと、カーソルの表示位置が表示モード４、表示モード５というように移動し、ユーザは設定したい表示モードにカーソルが合わさった時点でＳＥＴキーの操作を行なうことにより、設定変更操作を行なうことができる。
【００５３】
ステップＳ５で、設定変更操作が行なわれたと判断すると、ステップＳ６に進み、ＣＰＵ９の表示モード設定部２１は、該操作に応じて表示モードの設定の変更を行なう（表示モード記録領域の記憶を更新させる）。このとき、表示モード設定部２１は、該変更された表示モードを表示制御部２３に出力する。
例えば、図７に示すように、カーソルが表示モード３に合わさっている時に、ＳＥＴキーの操作を行なうと、表示モード設定部２１は、設定する表示モードを表示モード２から表示モード３に変更する。
【００５４】
次いで、ステップＳ７で、表示制御部２３は、該設定変更された表示モードに対応する各表示状況における表示態様をメモリ１１の表示モードテーブルから新たに取得して、ステップＳ８に進む。このときは新たに取得された表示態様は上書きして記憶されることになる。
一方、ステップＳ５で、設定変更操作が行なわれていないと判断するとそのままステップＳ８に進む。
【００５５】
ステップＳ８に進むと、ＣＰＵ９は、表示設定モードが解除されたか否かを判断する。つまり、ユーザのモード切替キーの操作により表示設定モード以外の他のモード（例えば、再生モード等）に設定されたか否かを判断する。
ステップＳ８で、表示設定モードが解除されていないと判断すると、ステップＳ５に戻り、表示設定モードが解除されたと判断するとステップＳ２に戻る。
【００５６】
一方、ステップＳ２で、現在設定されているモードが表示設定モードでないと判断すると、ステップＳ９に進み、現在設定されているモードが再生モードであるか否かを判断する。
【００５７】
ステップＳ９で、再生モードであると判断すると、ステップＳ１０に進み、ＣＰＵ９の情報画像生成部２２は、フラッシュメモリ１３に記録されている鑑賞用の画像データのサムネイル画像データ（情報データ）を取得して、その一覧画像を生成し、第１の画像再生表示処理部２３１、第２の画像再生表示処理部２３２は、ステップＳ１又はステップＳ７で取得した各表示状況の表示態様のうち（現在表示態様記憶領域に記憶されている各表示状況の表示態様のうち）、現在の表示状況に対応する表示態様にしたがって、該生成された一覧画像を表示させる。
【００５８】
なお、ここでは情報画像生成部２２は、観賞用の画像データのサムネイル画像を取得して、その一覧画像を生成するようにしたが、鑑賞用の画像データの名称（情報データ）を取得して、その一覧を表示させるような一覧画像を生成するようにしてもよいし、サムネイル画像及び名称を取得して、その一覧画像を生成するようにしてもよい。
【００５９】
現在の表示状況は、画像鑑賞中でない情報表示なので、図３を見ると分かるように、例えば、表示モード１、表示モード４が設定されている場合は、内蔵モニタ１４に一覧画像を表示させ、外部モニタ３１には表示させない。また、表示モード２が設定されている場合は、外部モニタ３１に一覧画像を表示させ、内蔵モニタ１４には表示させない。また、表示モード３、表示モード５が設定されている場合は、内蔵モニタ１４、外部モニタ３１共に一覧画像を表示させる。
【００６０】
次いで、ステップＳ１１で、ＣＰＵ９は、ユーザによって画像データの指定が行なわれたか否かを判断する。この画像データの指定は、表示された一覧画像を見ながらユーザが十字キーを操作することにより、再生したい画像データに対応するサムネイル画像にカーソルを合わせ、ＳＥＴキーの操作を行なうことにより行なわれる。
【００６１】
ステップＳ１１で、画像データの指定が行なわれていないと判断すると指定が行なわれるまでステップＳ１１に留まり、画像データの指定が行なわれると、ステップＳ１２に進み、ＣＰＵ９は、該指定された画像データをフラッシュメモリ１３から読み出してバッファメモリに展開させる。つまり、ＳＥＴキーの操作が行なわれた時点にカーソルが合わさっている鑑賞用の画像データをバッファメモリに展開することになる。
【００６２】
次いで、ステップＳ１３で、第１の画像再生表示処理部２３１、第２の画像再生表示処理部２３２は、ステップＳ１又はステップＳ７で取得した画像鑑賞の表示態様（現在表示態様記憶領域に記憶されている画像鑑賞の表示態様）にしたがって、バッファメモリに展開した鑑賞用の画像データの再生を開始する。
【００６３】
現在の表示状況は、画像鑑賞なので、図３を見ると分かるように、例えば、表示モード１が設定されている場合は、内蔵モニタ１４にバッファメモリに展開されている画像データを再生表示させ、外部モニタ３１には表示させない。また、表示モード２、表示モード４が設定されている場合は、外部モニタ３１にバッファメモリに展開されている画像データを再生表示させ、内蔵モニタ１４には表示させない。また、表示モード３、表示モード５が設定されている場合は内蔵モニタ１４、外部モニタ３１共にバッファメモリに展開されている画像データを表示させる。
【００６４】
次いで、ステップＳ１４で、ＣＰＵ９は、ユーザによってメニューキー１０２の操作が行なわれたか否かを判断する。この判断は、ユーザのメニューキー１０２の操作に対応する操作信号がキー入力部１０から送られてきたか否かにより判断する。つまり、画像鑑賞中に特定の情報を表示させるという割り込み表示を行うか否かを判断していることになる。このメニューキー１０２を操作することによりユーザはメニュー画像を割り込み表示させることができる。
【００６５】
ステップＳ１４で、メニューキー１０２の操作が行われたと判断すると、ステップＳ１５に進み、情報画像生成部２２は、メモリ１１に記録されているメニュー情報からトップページとなるメニュー画像を生成する。このトップページとは、メニューキー１０２の操作が行なわれると一番最初に表示させる画面のことである。
【００６６】
次いで、ステップＳ１６で、第１の画像再生表示処理部２３１、第２の画像再生表示処理部２３２は、ステップＳ１又はステップＳ７で取得した各表示状況の表示態様のうち（現在表示態様記憶領域に記憶されている各表示状況の表示態様のうち）、現在の表示状況に対応する表示態様にしたがって、該生成されたメニュー画像を割り込み表示させる。
【００６７】
現在の表示状況は、画像鑑賞中の情報表示なので、図３を見ると分かるように、例えば、表示モード１が設定されている場合は、継続して内蔵モニタ１４に表示させている鑑賞用の画像データの上に該生成したメニュー画像をオーバーレイ表示させ、外部モニタ３１には何も表示させない。また、表示モード２が設定されている場合は、継続して外部モニタ３１に表示させている鑑賞用の画像データの上に該生成したメニュー画像をオーバーレイ表示させ、内蔵モニタ１４には何も表示させない。また、表示モード３が設定されている場合は、継続して内蔵モニタ１４、外部モニタ３１共に表示させている鑑賞用の画像データの上に該生成したメニュー画像をオーバーレイ表示させる。また、表示モード４が設定されている場合は、内蔵モニタ１４に該生成したメニュー画像を単体表示させ、外部モニタ３１には鑑賞用の画像データのみをそのまま再生表示させる。また、表示モード５が設定されている場合は、継続して内蔵モニタ１４に表示させている鑑賞用の画像データの上に該生成したメニュー画像をオーバーレイ表示させ、外部モニタ３１には観賞用の画像データのみをそのまま表示させる。
【００６８】
図８は、表示モード３が設定され、観賞用の画像データが再生表示されているときに割り込み表示されるメニュー画像の様子を示すものであり、図８を見るとわかるように、内蔵モニタ１４、外部モニタ３１共に、メニュー画像がオーバーレイ表示されている。
また、図９は、表示モード４が設定され、鑑賞用の画像データが再生表示されているときに割り込み表示されるメニュー画像の様子を示すものであり、図９を見るとわかるように、内蔵モニタ１４には、メニュー画像が単体表示されており、外部モニタ３１には観賞用の画像データのみが再生表示されている。
なお、図８、図９に示すデジタルカメラ１と外部モニタ３１はＡＶケーブル１７を介して接続されている。
【００６９】
生成したメニュー画像の表示を行うと、ステップＳ１７に進み、ＣＰＵ９は、メニュー表示を解除するか、つまり、メニュー表示を終了するか否かを判断する。この判断は、ユーザのメニューキー１０２の操作に対応する操作信号がキー入力部１０から送られてきたか否かにより判断する。
【００７０】
ステップＳ１７で、メニュー表示を解除しないと判断すると、ステップＳ１８に進み、ＣＰＵ９は、表示させるメニュー画像の変更が行なわれたか否かを判断する。このとき、ユーザは、十字キー、ＳＥＴキーの操作を行なうことにより表示させるメニュー画面を変更することができ、ＣＰＵ９は、該操作に対応する操作信号がキー入力部１０から送られてくると、メニュー画像の変更が行なわれたと判断する。
【００７１】
例えば、図８、図９に示すようにメニュー画像が表示されているときに、ユーザは再生機能の項目「スライドショー」、「カレンダー表示」、「モーションプリント」、「ムービーカット」、「アングル補正」、「退色補正」、各種の設定を行なう設定項目の「設定」、ページ変更の項目「▽１／３」のいずれかの項目が十字キーの操作により選択され、ＳＥＴキーの操作が行なわれると表示させるメニュー画像の変更が行なわれたと判断する。
【００７２】
ステップＳ１８で、表示させるメニュー画像の変更が行なわれたと判断すると、ステップＳ１９に進み、情報画像生成部２２は、メモリ１１に記録されているメニュー情報から該操作に対応するメニュー画像を生成してステップＳ１６に戻る。例えば、ページ変更の項目が選択されＳＥＴキーの操作が行なわれると、２ページ目のメニュー画像を生成し、設定の項目が選択されＳＥＴキーの操作が行なわれると設定機能に関するメニュー画像を生成することになる。
一方、ステップＳ１８で、表示させるメニュー画像の変更が行なわれていないと判断するとステップＳ１７に戻る。
【００７３】
ステップＳ１４でメニューキー１０２の操作が行われていないと判断した場合、ステップＳ１７でメニュー表示を解除すると判断した場合は、メニュー表示を終了して、図５のステップＳ２０に進み、ＣＰＵ９は、表示モードキー１０３の操作が行なわれたか否かを判断する。この判断は、ユーザの表示モードキー１０３の操作に対応する操作信号がキー入力部１０から送られてきたか否かにより判断する。つまり、画像鑑賞中に特定の情報を表示させるという割り込み表示を行うか否かを判断していることになる。この表示モードキー１０３を操作することによりユーザは表示モード選択画像を割り込み表示させることができる。
【００７４】
ステップＳ２０で、表示モードキー１０３の操作が行なわれたと判断すると、ステップＳ２１に進み、情報画像生成部２２は、メモリ１１に記録されている表示モード情報から表示モード選択画像を生成する。
次いで、ステップＳ２２で、第１の画像再生表示処理部２３１、第２の画像再生表示処理部２３２は、ステップＳ１又はステップＳ７で取得した各表示状況の表示態様のうち（現在表示態様記憶領域に記憶されている各表示状況の表示態様のうち）、現在の表示状況に対応する表示態様にしたがって、該生成された表示モード選択画像を割り込み表示させる。
【００７５】
現在の表示状況は、画像鑑賞中の表示なので、図３を見ると分かるように、例えば、表示モード１が設定されている場合は、継続して内蔵モニタ１４に表示させている鑑賞用の画像データの上に該生成した表示モード選択画像をオーバーレイ表示させ、外部モニタ３１には何も表示させない。また、表示モード２が設定されている場合は、継続して外部モニタ３１に表示させている鑑賞用の画像データの上に該生成した表示モード選択画像をオーバーレイ表示させ、内蔵モニタ１４には何も表示させない。また、表示モード３が設定されている場合は、継続して内蔵モニタ１４、外部モニタ３１共に表示させている鑑賞用の画像データの上に該生成した表示モード選択画像をオーバーレイ表示させる。また、表示モード４が設定されている場合は、内蔵モニタ１４に該生成した表示モード選択画像を単体表示させ、外部モニタ３１には鑑賞用の画像データのみをそのまま再生表示させる。また、表示モード５が設定されている場合は、継続して内蔵モニタ１４に表示させている鑑賞用の画像データの上に該生成した表示モード選択画像をオーバーレイ表示させ、外部モニタ３１には観賞用の画像データのみをそのまま表示させる。
なお、表示モード選択画像を表示させる際には、現在設定されている表示モードを設定されてない他の表示モードとは差別表示させる。
【００７６】
次いで、ステップＳ２３で、ＣＰＵ９は、設定変更操作が行なわれたか否かを判断する。
ステップＳ２３で、設定変更操作が行なわれていないと判断すると、ステップＳ２４に進み、ＣＰＵ９は、表示モード選択画像の表示を解除するか、つまり、表示モード選択画像の表示を終了するか否かを判断する。この判断は、ユーザの表示モードキー１０３の操作に対応する操作信号がキー入力部１０から送られてきたか否かにより判断する。
【００７７】
ステップＳ２４で、表示モード選択画像の表示を解除しないと判断するとステップＳ２３に戻る。
一方、ステップＳ２３、設定変更操作が行なわれたと判断すると、ステップＳ２５に進み、表示モード設定部２１は、該操作に応じて表示モードの設定の変更を行なう（表示モード記録領域の記憶を更新させる）。このとき、変更された表示モードが表示制御部２３に出力される。
【００７８】
次いで、ステップＳ２６で、表示制御部２３は、該設定変更された表示モードに対応する各表示状況における表示態様をメモリ１１の表示モードテーブルから新たに取得し、上書き記憶して、ステップＳ２７に進む。このときは、表示モード選択画像の表示を終了する。
また、ステップＳ２０で表示モードキー１０３の操作が行われていないと判断した場合、ステップＳ２４で表示モード選択画像の表示が解除されたと判断した場合はそのままステップＳ２７に進む。ステップＳ２４からステップＳ２７に進む場合は、表示モード選択画像の表示を終了する。
【００７９】
ステップＳ２７に進むと、ＣＰＵ９は、画像一覧キー１０４の操作が行なわれたか否かを判断する。この判断は、画像一覧キー１０４の操作に対応する操作信号がキー入力部１０から送られてきたか否かにより判断する。つまり、画像鑑賞中に特定の情報を表示させるという割り込み表示を行うか否かを判断していることになる。この画像一覧キーを操作することによりユーザはフラッシュメモリ１３に記録されている画像データの一覧画像を割り込み表示させることができる。
【００８０】
ステップＳ２７で、画像一覧キー１０４の操作が行なわれたと判断すると、ステップＳ２８に進み、情報画像生成部２２は、フラッシュメモリ１３に記録されている鑑賞用の画像データのサムネイル画像を取得して、その一覧画像を生成し、第１の画像再生表示処理部２３１、第２の画像再生表示処理部２３２は、ステップＳ１又はステップＳ７又はステップＳ２６で取得した各表示状況の表示態様のうち（現在表示態様記憶領域に記憶されている各表示状況の表示態様のうち）、現在の表示状況に対応する表示態様にしたがって、該生成された一覧画像を割り込み表示させる。
【００８１】
現在の表示状況は、画像鑑賞中の表示なので、図３を見ると分かるように、例えば、表示モード１が設定されている場合は、継続して内蔵モニタ１４に表示させている鑑賞用の画像データの上に該生成した一覧画像をオーバーレイ表示させ、外部モニタ３１には何も表示させない。また、表示モード２が設定されている場合は、継続して外部モニタ３１に表示させている鑑賞用の画像データの上に該生成した一覧画像をオーバーレイ表示させ、内蔵モニタ１４には何も表示させない。また、表示モード３が設定されている場合は、継続して内蔵モニタ１４、外部モニタ３１共に表示させている鑑賞用の画像データの上に該生成した一覧画像をオーバーレイ表示させる。また、表示モード４が設定されている場合は、内蔵モニタ１４に該生成した一覧画像を単体表示させ、外部モニタ３１には鑑賞用の画像データのみをそのまま再生表示させる。また、表示モード５が設定されている場合は、継続して内蔵モニタ１４に表示させている鑑賞用の画像データの上に該生成した一覧画像をオーバーレイ表示させ、外部モニタ３１には観賞用の画像データのみをそのまま表示させる。
【００８２】
図１０は、表示モード５が設定され、鑑賞用の画像データが再生表示されているときに割り込み表示される一覧画像の様子を示すものであり、図１０を見るとわかるように、内蔵モニタ１４には一覧画像がオーバーレイ表示されており、外部モニタ３１には観賞用の画像データのみが再生表示されている。
このとき、表示された一覧画像のうち、現在再生されている画像データに対応するサムネイル画像を他のサムネイル画像とは差別表示（ここでは、黒い太枠で表示）させる
なお、図１０に示すデジタルカメラ１と外部モニタ３１はＡＶケーブル１７を介して接続されている。
【００８３】
生成した一覧画像の表示を行うと、ステップＳ２９に進み、ＣＰＵ９は、ユーザによって画像データの指定が行なわれたか否かを判断する。この画像データの選択は、ユーザが十字キーを操作することにより、再生したい画像データにカーソルを合わせ、ＳＥＴキーの操作を行なうことにより行なわれる。
例えば、図１０に示すように、表示されているカーソル（薄黒い太枠）の表示位置がユーザの十字キーの操作により移動していき、再生したい画像データに対応するサムネイル画像にカーソルが合わさった時点でユーザがＳＥＴキーの操作を行なうことにより画像データを選択することができる。
【００８４】
ステップＳ２９で、画像データの選択が行なわれていないと判断すると、ステップＳ３０に進み、ＣＰＵ９は、画像一覧表示を解除するか、つまり、画像一覧表示を終了するか否かを判断する。この判断は、ユーザの画像一覧キー１０４の操作に対応する操作信号がキー入力部１０から送られてきたか否かにより判断する。
ステップＳ３０で、画像一覧表示を解除しないと判断するとステップＳ２９に戻る。
【００８５】
一方、ステップＳ２９で、画像データの選択が行なわれたと判断すると、ステップＳ３１で、ＣＰＵ９は、該選択された画像データを次に再生する画像データとして指定して、ステップＳ３２に進む。このとき、ステップＳ３１で既に次の画像データが指定されている場合は、該指定されている次の画像データの次に再生する画像データとして指定する。これにより、現在再生している画像データの以後に再生させる画像データを予約することができる。なお、画像データの指定を行うと一覧画像の表示を終了する。
【００８６】
また、ステップＳ２７で画像一覧キー１０４の操作が行なわれていないと判断した場合、ステップＳ３０で画像一覧表示を解除すると判断した場合は、そのままステップＳ３２に進む。ステップＳ３０からステップＳ３２に進む場合は、画像一覧表示を終了する。
【００８７】
ステップＳ３２に進むと、ＣＰＵ９は、現在再生している観賞用の画像データの再生が終了したか否かを判断する。この判断は、再生している観賞用の画像データが動画像データの場合には最後のフレーム画像まで再生表示させた場合や、ユーザにより再生の終了操作が行なわれた場合は終了すると判断する。また、再生している鑑賞用の画像データが静止画像データの場合は、ユーザにより再生の終了操作が行なわれた場合は終了すると判断することはもちろんのこと、所定時間表示させた場合や、次の画像データが指定された場合も終了すると判断するようにしてもよい。したがって、次の画像データが指定された場合は終了すると判断する場合は、ステップＳ３１で次に再生する画像データが指定されると直ちに再生を終了すると判断することになる。
なお、再生している観賞用の画像データが動画像データの場合も、次の画像データが指定されると該動画データの再生を終了すると判断するようにしてもよい。これにより、鑑賞用の画像データを再生中に、再生させる鑑賞用の画像データの変更を行なうことができる。
【００８８】
ステップＳ３２で、再生が終了していないと判断すると図４のステップＳ１４に戻り、ステップＳ３２で、再生が終了したと判断すると、ステップＳ３３に進み、ＣＰＵ９は、次に再生する画像データが指定されているか否かを判断する。つまり、ステップＳ３１で、次に再生する画像データが指定されているか否かを判断する。
ステップＳ３３で、次に再生する画像データが指定されていないと判断すると、図４のステップＳ１０に戻り、ステップＳ３３で、次に再生する画像データが指定されていると判断すると、図４のステップＳ１２に戻る。
【００８９】
一方、図４のステップＳ９で、現在設定されているモードが再生モードでないと判断すると、図６のステップＳステップＳ４１に進み、ＣＰＵ９は、現在設定されているモードが、メニュー表示モードであるか否かを判断する。
【００９０】
ステップＳ４１で、現在のモードがメニュー表示モードでないと判断すると、他のモードへ移行し、現在のモードがメニュー表示モードであると判断すると、ステップＳ４２に進み、情報画像生成部２２は、メモリ１１に記録されているメニュー情報からトップページとなるメニュー画像を生成する。
【００９１】
次いで、ステップＳ４３で、第１の画像再生表示処理部２３１、第２の画像再生表示処理部２３２は、ステップＳ１又はステップＳ７又はステップＳ２６で取得した各表示状況の表示態様のうち（現在表示態様記憶領域に記憶されている各表示状況の表示態様のうち）、現在の表示状況に対応する表示態様にしたがって、該生成されたメニュー画像を表示させる。
【００９２】
現在の表示状況は、画像鑑賞中でない情報表示なので、図３を見ると分かるように、例えば、表示モード１、表示モード４が設定されている場合は、内蔵モニタ１４にメニュー画像を表示させ、外部モニタ３１には表示させない。また、表示モード２が設定されている場合は、外部モニタ３１にメニュー選択画像を表示させ、内蔵モニタ１４には表示させない。また、表示モード３、表示モード５が設定されている場合は、内蔵モニタ１４、外部モニタ３１共にメニュー画像を表示させる。
【００９３】
次いで、ステップＳ４４で、ＣＰＵ９は、メニュー表示モードが解除されたか否かを判断する。つまり、ユーザのモード切替キーの操作によりメニュー表示モード以外の他のモードに設定されたか否かを判断する。
ステップＳ４４で、メニュー表示モードが解除されていないと判断すると、ステップＳ４５に進み、ＣＰＵ９は、表示させるメニュー画像の変更が行なわれたか否かを判断する。
【００９４】
ステップＳ４５で、表示させるメニュー画像の変更が行なわれたと判断すると、ステップＳ４６に進み、情報画像生成部２２は、メモリ１１に記録されているメニュー情報から該操作に対応するメニュー画像を生成してステップＳ４３に戻る。
一方、ステップＳ４５で、表示させるメニュー画像の変更が行なわれていないと判断するとそのままステップＳ４４に戻る。
一方、ステップＳ４４で、メニュー表示モードが解除されたと判断すると、図４のステップＳ２に戻る。
【００９５】
以上のように実施の形態においては、ユーザによって設定された表示モードに応じて、内蔵モニタ１４、外部モニタ３１の表示内容を変更させるので、状況に応じた表示態様で表示させることができる。
【００９６】
例えば、外部モニタ３１に画像を表示させる必要がない場合は、表示モード１に設定することにより、内蔵モニタ１４のみに画像を表示させることができる。
また、内蔵モニタ１４に画像を表示させる必要がない場合は、表示モード２に設定することにより、外部モニタ３１のみに画像を表示させることができる。
【００９７】
また、表示モード１、表示モード２に設定された場合は、表示処理の負担、消費電力も抑えることができ、特に、表示モード２に設定された場合は消費電力を更に抑えることができる。
したがって、電池残量が少ない場合等においては、表示モード１、表示モード２は有効な表示モードともいえる。
【００９８】
また、デジタルカメラ１の操作者と、外部モニタ３１の視聴者が同一の画像を見る必要がある場合には、表示モード３に設定することにより、同一の画像を内蔵モニタ１４、外部モニタ３１に表示させることができる。例えば、デジタルカメラ１の操作者１人だけでは、適切な設定（画質、色合などの設定）などを十分に行なえない場合は、テレビの視聴者の助言も借りて適切な設定等を行なうことができる。
【００９９】
また、情報画像と鑑賞画像の表示先を分けたい場合は、表示モード４に設定することにより、情報画像と鑑賞画像の表示先を分離することができる。これにより、視聴者に不快感を与えることがなく、視聴者は十分に画像を鑑賞することができる。また、この場合は、鑑賞画像は内蔵モニタ１４に表示されないので、処理負担、消費電力を抑えるという効果もある。
【０１００】
また、鑑賞画像は、内蔵モニタ１４、外部モニタ３１共に表示させ、情報画像は内蔵モニタ１４に表示させたい場合は、表示モード５を設定することにより、デジタルカメラ１の操作者も内蔵モニタ１４で鑑賞画像が見ることができるとともに、情報画像も見ることができ、且つ、視聴者に不快感を与えることはない。
【０１０１】
［変形例１］
Ｄ．なお、上記第実施の形態は、以下のような変形例も可能である。
【０１０２】
（０１）上記実施の形態においては、表示モードを５つ設けるようにしたが、６つでもよく、要は複数（２つ以上）の表示モードを設けるのであれば幾つであってもよい。
また、内蔵モニタ１４、外部モニタ３１の表示態様も図３の表示モードテーブルに限定されるものではなく、どの組み合わせであってもよい。
例えば、表示モード１や表示モード３、表示モード５では、画像鑑賞中の特定の情報の割り込み表示は、情報画像をオーバーレイ表示させるようにしたが、情報画像のみを単体表示させるようにしてもよい。この場合は、既に表示されていた観賞用の画像データの再生表示を中断して、情報画像を割り込み表示させるようにする。これにより、処理負担を軽減させることができる。
【０１０３】
（０２）また、上記実施の形態においては、情報画像として、メニュー画像、表示モード選択画像、一覧画像の３種類について説明したが、他の情報を示す情報画像を表示させるようにしてもよい。例えば、現在設定されているモード（再生モード、撮影モードの何れであるか）を示す情報や、該再生している画像のファイル名、撮影日時、電池残量等の種々の情報（以下、これらを総称して案内情報という）の画像を表示させるようにしてもよい。
図１１は、表示モード５が設定され、観賞用の画像データが再生表示されているときに表示される案内情報画像の様子を示すものであり、図１１を見るとわかるように、案内情報画像が内蔵モニタ１４にオーバーレイ表示され、外部モニタ３１には案内画情報像が表示されていないのがわかる。
【０１０４】
（０３）また、上記実施の形態においては、内蔵モニタ１４と外部モニタ３１を用いて説明したが、内蔵モニタを２つ設け、表示モードに応じてそれぞれの内蔵モニタの表示態様を変えるようにしてもよいし、内蔵モニタ１４を備えることなく２つの外部モニタ３１を用いて、表示モードに応じてそれぞれの外部モニタの表示態様を変えるようにしてもよい。
【０１０５】
（０４）また、上記実施の形態においては、２つのモニタを用いてそれぞれのモニタの表示態様を表示モードに応じて変えるようにしたが、３つのモニタを用いてそれぞれのモニタの表示態様を表示モードに応じて変えるようにしてもよい。要は、モニタは２つ以上であればよい。
この場合の表示モードテーブルは、モニタの数に応じて、各モニタの表示態様をそれぞれ記録させておく必要がある。
【０１０６】
（０５）また、上記実施の形態においては、再生モードの場合を例にして説明したが、もちろん撮影モードであっても適用可能である。この場合は観賞用の画像データがＣＣＤ５により撮像された画像データ（静止画像データ、動画像データ）ということになる。
動画撮影（スルー画像中の動画撮像も含む）や静止画撮影の場合は、更に表示状況として「動画撮像（スルー画像表示中も含む）」、「動画撮像中（スルー画像表示中も含む）の情報表示」、「プレビュー表示」、「プレビュー表示中の情報表示」というように表示状況の種類を適宜追加してもよい。
【０１０７】
（０６）また、上記実施の形態においては、表示状況として「画像鑑賞」、「画像鑑賞中の情報表示」、「画像鑑賞中でない情報表示」の３種類としたが、４種類、５種類等の複数種類であってもよいし、１種類であってもよい。
【０１０８】
（０７）また、上記実施の形態においては、デジタルカメラ１と外部モニタ３１とが接続されている状態を元に、ユーザが表示モードを任意に設定することができるようにしたが、デジタルカメラ１と外部モニタが接続されていない場合は、設定できる表示モードを制限するようにしてもよいし（例えば、表示モード２は設定できない状態する）、ある特定の表示モードを自動的に設定するようにしてもよい（例えば、表示モード１を自動的に設定する）。
つまり、所定の表示モードの設定を禁止したり、所定の表示モードに自動的に設定することになる。これにより、表示が無理な表示モードを設定することがない。
このデジタルカメラ１と外部モニタ３１が接続されたか否かの判断は、Ａ／Ｖ接続部１６にＡＶケーブルが接続されると、ＡＶケーブルが接続されたことを電気的に、又は、機械的に検出することにより判断するようにしてもよいし、外部モニタ３１の識別情報等がＡＶケーブル３１を介してデジタルカメラ１に送られてきたか否かにより判断するようにしてもよい。
【０１０９】
（０８）また、上記実施の形態においては、また、ユーザが表示モードを手動で設定するようにしたが、撮影状況（例えば、撮影環境が暗いか明るいか、周囲が静かかうるさいか）に応じて自動的に表示モードを設定するようにしてもよい。
例えば、撮影環境が明るい場合は、上映がまだ始まっていなく、画質や色合などの種々の設定等を行なう状態であると判断して、表示モード３に自動的に設定し、撮影環境が暗い場合は上映が始まるので、表示モード２や表示モード５に自動的に設定する。
また、周囲がうるさい場合は、上映が未だ始まっていなく、画質や色合などの種々の設定等を行なう状態であると判断して、表示モード３に自動的に設定し、周囲が静かな場合は上映が始まるので、表示モード２や表示モード５に自動的に設定する。
【０１１０】
（０９）また、上記実施の形態においては、モニタを用いて説明したが、モニタではなく、ビデオプロジェクタのように、映像をスクリーン等に投影する方法で画像を表示させるものであってもよい。
【０１１１】
（１０）また、上記変形例（０１）〜（０９）を任意に組み合わせた態様であってもよい。
【０１１２】
（１１）また、本発明の上記各実施形態及び各変形例は、何れも最良の実施形態としての単なる例に過ぎず、本発明の原理や構造等をより良く理解することができるようにするために述べられたものであって、添付の特許請求の範囲を限定する趣旨のものでない。
したがって、本発明の上記実施形態に対してなされ得る多種多様な変形ないし修正はすべて本発明の範囲内に含まれるものであり、添付の特許請求の範囲によって保護されるものと解さなければならない。
【０１１３】
最後に、上記各実施の形態においては、本発明の画像再生装置をデジタルカメラ１に適用した場合について説明したが、上記の実施の形態に限定されるものではなく、要は、画像を再生することができる機器であれば適用可能である。
したがって、ＤＶＤプレーヤーであってもよい。
【図面の簡単な説明】
【０１１４】
【図１】本発明の実施の形態のデジタルカメラのブロック図である。
【図２】本発明の特徴となるＣＰＵ９の機能ブロック図を示すものである。
【図３】表示モードテーブルの様子を示す図である。
【図４】実施の形態におけるデジタルカメラ１の動作を示すフローチャートである。
【図５】実施の形態におけるデジタルカメラ１の動作を示すフローチャートである。
【図６】実施の形態におけるデジタルカメラ１の動作を示すフローチャートである。
【図７】表示モード２が設定され、鑑賞用の画像データが再生表示されていない（画像鑑賞中でない）ときに表示される表示モード選択画像の様子を示す図である。
【図８】表示モード３が設定され、観賞用の画像データが再生表示されているときに表示されるメニュー画像の様子を示す図である。
【図９】表示モード４が設定され、鑑賞用の画像データが再生表示されているときに表示されるメニュー画像の様子を示す図である。
【図１０】表示モード５が設定され、鑑賞用の画像データが再生表示されているときに表示される一覧画像の様子を示す図である。
【図１１】変形例において表示モード５が設定され、鑑賞用の画像データが再生表示されているときに表示される案内情報画像の様子を示す図である。
【符号の説明】
【０１１５】
１      デジタルカメラ
２      撮影レンズ
３      レンズ駆動ブロック
４      ＣＣＤ
５      ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    Ａ／Ｖ接続部
１６    バス
１７    ＡＶケーブル
２１    表示モード設定部
２２    情報画像生成部
２３    表示制御部２３
３１    外部モニタ
【図１】
0004978889.tif 000002
【図２】
0004978889.tif 000003
【図３】
0004978889.tif 000004
【図４】
0004978889.tif 000005
【図５】
0004978889.tif 000006
【図６】
0004978889.tif 000007
【図７】
0004978889.tif 000008
【図８】
0004978889.tif 000009
【図９】
0004978889.tif 000010
【図１０】
0004978889.tif 000011
【図１１】
0004978889.tif 000012